(57)【要約】【課題】簡易な構成及び処理で、動画ぼけを抑制することができるバックライト装置を提供する。【解決手段】バックライト装置１６０は、複数のバックライト６１０ａ〜６１０ｄと、複数のバックライト６１０ａ〜６１０ｄに共通の同期調光信号Ｓ−ＰＷＭを用いて対応するバックライト６１０ａ〜６１０ｄを駆動する複数のバックライトドライバ６３０ａ〜６３０ｄとを備え、複数のバックライトドライバ６３０ａ〜６３０ｄの各々は、同期調光信号Ｓ−ＰＷＭを遅延する遅延回路６３２を備え、当該遅延回路６３２による遅延後の調光信号ＰＷＭ（ａ）〜ＰＷＭ（ｄ）を用いて対応するバックライト６１０ａ〜６１０ｄを駆動し、複数のバックライト６１０ａ〜６１０ｄが備える複数の遅延回路６３２における遅延時間は、複数のバックライト６１０ａ〜６１０ｄの配置順序に基づいて互いに異なる。【選択図】図２
2015191809.tif 000002
【特許請求の範囲】
【請求項１】
信号出力部から出力された点灯期間及び消灯期間を示す調光信号を用いて液晶パネルを照射するバックライト装置であって、
複数のバックライトと、
前記複数のバックライトに対応して設けられ、前記複数のバックライトに共通の前記調光信号を用いて対応するバックライトを駆動する複数のバックライト駆動部とを備え、
前記複数のバックライト駆動部の各々は、前記調光信号を遅延する遅延回路を備え、当該遅延回路による遅延後の調光信号を用いて対応するバックライトを駆動し、
前記複数のバックライト駆動部が備える複数の前記遅延回路における遅延時間は、前記複数のバックライトの配置順序に基づいて互いに異なる
バックライト装置。
【請求項２】
前記バックライト装置は、さらに、前記複数のバックライト駆動部の各々に対応して設けられた、予め定められた基準電圧を分圧する分圧回路を有し、
前記遅延回路は、前記分圧回路によって定まる遅延時間で前記調光信号を遅延する
請求項１に記載のバックライト装置。
【請求項３】
前記分圧回路は、抵抗及び容量を有する時定数回路であり、
前記遅延時間は、前記分圧回路の時定数が大きいほど、長くなる
請求項２に記載のバックライト装置。
【請求項４】
前記信号出力部は、前記調光信号として、前記液晶パネルに表示されるフレームの切り替えタイミングと同期する同期調光信号、及び、当該タイミングと同期しない非同期調光信号の一方を、選択的に出力し、
前記バックライト装置は、さらに、前記信号出力部から前記非同期調光信号が出力されている場合に前記分圧回路に流れる電流を注入し、前記信号出力部から前記同期調光信号が出力されている場合に当該電流を注入しない電流注入回路を備える
請求項３に記載のバックライト装置。
【請求項５】
前記調光信号は、前記点灯期間に第１論理状態となり、前記消灯期間に第２論理状態となる信号であり、
前記複数のバックライト駆動部の各々は、さらに、
前記調光信号が前記第２論理状態となっている期間をカウントする期間カウンタと、
前記調光信号の前記第１論理状態から前記第２論理状態への切り替わりを、前記遅延時間経過後に検出する切り替わり遅延器とを備え、
前記遅延回路は、前記切り替わり遅延器による検出時点から前記期間カウンタによりカウントされた期間が経過するまで第２論理状態となる信号を生成することにより、前記遅延後の調光信号を生成する
請求項３又は４に記載のバックライト装置。
【請求項６】
前記分圧回路は、互いに直列に接続された複数の抵抗を有し、
前記遅延回路は、前記分圧回路の分圧比を用いて前記調光信号の位相をシフトさせることにより、当該調光信号を遅延する
請求項２に記載のバックライト装置。
【請求項７】
前記複数のバックライト駆動部の各々は、さらに、
前記調光信号の周期をカウントする周期カウンタと、
前記基準電圧に対する前記分圧回路によって分圧された電圧の比を算出する算出部と、
前記周期カウンタによるカウント値と、前記算出部によって算出された比とを乗算する乗算器とを備え、
前記遅延回路は、前記乗算器による乗算結果が示す期間、前記調光信号を遅延する
請求項６に記載のバックライト装置。
【請求項８】
前記複数のバックライト駆動部は、前記複数のバックライト全てが消灯する全消灯期間が、前記液晶パネルの１フレーム期間内に複数回出現するように前記複数のバックライトを駆動する
請求項１〜７のいずれか１項に記載のバックライト装置。
【請求項９】
請求項１〜８のいずれか１項に記載のバックライト装置と、
前記信号出力部と、
前記液晶パネルとを備える
表示装置。
【発明の詳細な説明】
【技術分野】
【０００１】
本発明は、バックライト装置及びそれを備える表示装置に関する。
【背景技術】
【０００２】
近年、テレビやモニター等の表示装置として、ブラウン管に代えて、行列状に配置された複数の液晶画素を含む液晶パネルを備える液晶表示装置が普及してきている。液晶表示装置は、液晶画面の背面からバックライトを照射させるとともに、各液晶画素内の液晶分子の向きを変化させて光の透過率を変化させることにより、液晶パネルに画像を表示する。
【０００３】
このような表示装置では、大型化に伴い、動画を表示した場合の画像のぼやけ（以下、「動画ぼけ」と記載する場合あり）が目立つという問題がある。
【０００４】
そこで、動画ぼけを抑制するために、液晶パネルの背面に設けられた複数のバックライトを、液晶パネルの行走査方向に順次点灯及び消灯する構成が知られている（例えば、特許文献１参照）。
【先行技術文献】
【特許文献】
【０００５】
【特許文献１】特開２００９−１８８１３５号公報
【発明の概要】
【発明が解決しようとする課題】
【０００６】
しかしながら、このような表示装置では、複数のバックライトを駆動する複数のバックライトドライバに対して順次位相差を設けた複数のＰＷＭ信号を供給する必要があるため、バックライト装置の構成及び処理が複雑になる虞がある。
【０００７】
そこで、本発明は、上述の課題を解決するためになされたものであり、簡易な構成及び処理で、動画ぼけを抑制することができるバックライト装置及びそれを備える表示装置を提供することを目的とする。
【課題を解決するための手段】
【０００８】
上記目的を達成するために、本発明の一態様に係るバックライト装置は、信号出力部から出力された点灯期間及び消灯期間を示す調光信号を用いて液晶パネルを照射するバックライト装置であって、複数のバックライトと、前記複数のバックライトに対応して設けられ、前記複数のバックライトに共通の前記調光信号を用いて対応するバックライトを駆動する複数のバックライト駆動部とを備え、前記複数のバックライト駆動部の各々は、前記調光信号を遅延する遅延回路を備え、当該遅延回路による遅延後の調光信号を用いて対応するバックライトを駆動し、前記複数のバックライト駆動部が備える複数の前記遅延回路における遅延時間は、前記複数のバックライトの配置順序に基づいて互いに異なる。
【０００９】
このように、バックライト駆動部毎に異なる遅延時間で調光信号を遅延することにより、信号出力部における処理、及び、信号出力部と複数のバックライト駆動部とを接続する配線を複雑化することなく、複数のバックライトを配置順に順次点灯及び消灯することができる。よって、簡易な構成及び処理で、動画ぼけを抑制できる。
【００１０】
例えば、前記バックライト装置は、さらに、前記複数のバックライト駆動部の各々に対応して設けられた、予め定められた基準電圧を分圧する分圧回路を有し、前記遅延回路は、前記分圧回路によって定まる遅延時間で前記調光信号を遅延してもよい。
【００１１】
これにより、分圧回路の回路構成によって遅延時間を容易に設定することができる。よって、簡易な構成及び処理で、動画ぼけを抑制できる。
【００１２】
例えば、前記分圧回路は、抵抗及び容量を有する時定数回路であり、前記遅延時間は、前記分圧回路の時定数が大きいほど、長くなってもよい。
【００１３】
これにより、分圧回路の抵抗及び容量の定数を調整することによって、遅延時間を所望の時間に設定することができる。つまり、簡易な構成及び処理で、動画ぼけを抑制できる。
【００１４】
例えば、前記信号出力部は、前記調光信号として、前記液晶パネルに表示されるフレームの切り替えタイミングと同期する同期調光信号、及び、当該タイミングと同期しない非同期調光信号の一方を、選択的に出力し、前記バックライト装置は、さらに、前記信号出力部から前記非同期調光信号が出力されている場合に前記分圧回路に流れる電流を注入し、前記信号出力部から前記同期調光信号が出力されている場合に当該電流を注入しない電流注入回路を備えてもよい。
【００１５】
これにより、液晶パネルに静止画が表示されている場合のフリッカー（画面のちらつき）を一層抑制できる。
【００１６】
例えば、前記調光信号は、前記点灯期間に第１論理状態となり、前記消灯期間に第２論理状態となる信号であり、前記複数のバックライト駆動部の各々は、さらに、前記調光信号が前記第２論理状態となっている期間をカウントする期間カウンタと、前記調光信号の前記第１論理状態から前記第２論理状態への切り替わりを、前記遅延時間経過後に検出する切り替わり遅延器とを備え、前記遅延回路は、前記切り替わり遅延器による検出時点から前記期間カウンタによりカウントされた期間が経過するまで第２論理状態となる信号を生成することにより、前記遅延後の調光信号を生成してもよい。
【００１７】
例えば、前記分圧回路は、互いに直列に接続された複数の抵抗を有し、前記遅延回路は、前記分圧回路の分圧比を用いて前記調光信号の位相をシフトさせることにより、当該調光信号を遅延してもよい。
【００１８】
これにより、分圧回路の複数の抵抗の定数を調整するだけで、遅延時間を容易に設定することができる。つまり、簡易な構成及び処理で、動画ぼけを抑制できる。
【００１９】
例えば、前記複数のバックライト駆動部の各々は、さらに、前記調光信号の周期をカウントする周期カウンタと、前記基準電圧に対する前記分圧回路によって分圧された電圧の比を算出する算出部と、前記周期カウンタによるカウント値と、前記算出部によって算出された比とを乗算する乗算器とを備え、前記遅延回路は、前記乗算器による乗算結果が示す期間、前記調光信号を遅延してもよい。
【００２０】
例えば、前記複数のバックライト駆動部は、前記複数のバックライト全てが消灯する全消灯期間が、前記液晶パネルの１フレーム期間内に複数回出現するように前記複数のバックライトを駆動してもよい。
【００２１】
これにより、フリッカーを抑制することができる。
【００２２】
また、本発明の他の態様に係る表示装置は、上述のバックライト装置と、前記液晶パネルとを備える。
【００２３】
このような表示装置は、上述のバックライト装置を備えるので、上述したバックライト装置と同様の効果を奏することができる。
【発明の効果】
【００２４】
本発明によると、簡易な構成及び処理で、動画ぼけを抑制することができる。
【図面の簡単な説明】
【００２５】
【図１Ａ】実施の形態１に係るバックライト装置を備える表示装置の斜視図である。
【図１Ｂ】実施の形態１に係るバックライト装置を備える表示装置の分解斜視図である。
【図２】実施の形態１に係るバックライト装置を備える表示装置の機能ブロック図である。
【図３】実施の形態１に係るバックライト装置における複数のバックライトの配置を示す図である。
【図４】実施の形態１におけるバックライトドライバ基板の回路構成を示す回路である。
【図５】実施の形態１におけるバックライトドライバの詳細な構成を示す回路図である。
【図６】実施の形態１における立ち下がり遅延器の詳細な構成を示す回路図である。
【図７】実施の形態１に係るバックライト装置の動作を示すタイミングチャートである。
【図８】実施の形態１の変形例におけるバックライトドライバ基板に実装された回路構成を示す回路図である。
【図９】実施の形態１の変形例に係るバックライト装置の動作を示すタイミングチャートである。
【図１０】実施の形態２におけるバックライトドライバ基板に実装された回路構成を示す回路図である。
【図１１】実施の形態２に係るバックライト装置における遅延時間の設定について説明するためのタイミングチャートである。
【図１２】実施の形態２に係るバックライト装置の動作を示すタイミングチャートである。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
本発明の実施の形態に係るバックライト装置は、液晶パネルの背面を照射し、例えば、テレビに搭載される。
【００２８】
（実施の形態１）
以下、本発明の実施の形態１について、詳細に説明する。
【００２９】
＜１−１．構成＞
［表示装置］
まず、本実施の形態に係るバックライト装置を備える表示装置の構成について、図１Ａ、図１Ｂ及び図２を用いて説明する。
【００３０】
図１Ａは、実施の形態１に係るバックライト装置を備える表示装置の斜視図であり、図１Ｂは実施の形態１に係るバックライト装置を備える表示装置の分解斜視図である。図２は、実施の形態１に係るバックライト装置を備える表示装置の機能ブロック図である。なお、図２では、構成の理解を容易にするために、バックライト装置を液晶パネルの主走査方向（以下、Ｘ方向と記載する場合あり）に見て図示し、液晶パネルを当該液晶パネルの主走査方向（Ｘ方向）及び副走査方向（以下、Ｙ方向と記載する場合あり）に対して垂直な方向に見て図示している。
【００３１】
表示装置１００は、図１Ａに示すように、例えばテレビである。この表示装置１００は、図１Ｂに示すように、フロントキャビネット１１０、ベゼル１２０、液晶モジュール１３０、セルガイド１４０、光学シート１５０、バックライト装置１６０及びリアフレーム１７０を備えている。なお、光学シート１５０は、拡散板等、複数の部材で構成されている。
【００３２】
［液晶モジュール］
液晶モジュール１３０は、行列状（例えば、１９２０列、１０８０行）に配置された液晶画素群を有する液晶パネル３１０、タイミングコントローラ（以下、ＴＣＯＮ）３２０、ＴＣＯＮ３２０が実装されたプリント基板３３０、ソースドライバ３４０、及び、ゲートドライバ３５０ａ〜３５０ｃを備え、表示装置１００の外部から入力された映像信号に対応する映像を液晶パネル３１０に表示する。
【００３３】
液晶パネル３１０が有する各液晶画素は、液晶層、映像信号に基づく信号電圧が印加される画素電極、及び、画素電極に対向する対向電極を有する液晶素子と、液晶素子の画素電極に信号電圧を印加するＴＦＴ（Ｔｈｉｎ  Ｆｉｌｍ  Ｔｒａｎｓｉｓｔｏｒ）とを有する。液晶素子は、ＴＦＴを介して液晶素子の画素電極に印加された信号電圧に応じて、光の偏光方向を変化させる。ＴＦＴは、当該ＴＦＴのゲートに接続されたゲートドライバ３５０ａ〜３５０ｃから出力されたゲートパルスに応じて、当該ＴＦＴのソースに接続されたソースドライバ３４０から出力されている信号電圧を液晶画素の画素電極に印加する。これにより、液晶パネル３１０は、バックライト装置１６０により照射された光を映像信号に応じた透過率で透過することにより、映像信号に対応する映像を表示する。
【００３４】
［バックライト装置］
バックライト装置１６０は、ＳＯＣ（Ｓｙｓｔｅｍ−ｏｎ−ａ−ｃｈｉｐ）６２０（信号出力部）から出力された同期調光信号Ｓ−ＰＷＭを用いて液晶パネル３１０を照射する。このバックライト装置１６０は、複数のバックライト６１０ａ〜６１０ｄと、複数のバックライト６１０ａ〜６１０ｄに対応して設けられ、複数のバックライト６１０ａ〜６１０ｄに共通の同期調光信号Ｓ−ＰＷＭを用いて対応するバックライト６１０ａ〜６１０ｄを駆動する複数のバックライトドライバ６３０ａ〜６３０ｄ（複数のバックライト駆動部）とを備える。
【００３５】
以下、バックライト装置１６０の各構成について、具体的に説明する。
【００３６】
［バックライト］
まず、複数のバックライト６１０ａ〜６１０ｄについて、図３を用いて説明する。図３は、実施の形態１に係るバックライト装置１６０における複数のバックライト６１０ａ〜６１０ｄの配置を示す図である。具体的には、同図には、表示装置１００を液晶パネル３１０側から見た場合における複数のバックライト６１０ａ〜６１０ｄの配置が示されている。なお、同図において、液晶パネル３１０は透視して図示されている。
【００３７】
同図に示すように、複数のバックライト６１０ａ〜６１０ｄは、所定方向（本実施の形態ではＹ方向）に並んで配置され、複数のバックライトドライバ６３０ａ〜６３０ｄによって駆動される。具体的には、当該複数のバックライト６１０ａ〜６１０ｄは、複数のバックライトドライバ６３０ａ〜６３０ｄによって、配置順に順次点灯及び消灯される。
【００３８】
ここで、複数のバックライト６１０ａ〜６１０ｄの各々は、当該所定方向に直交する方向（本実施の形態ではＸ方向）に並んで配置された複数のＬＥＤ（Ｌｉｇｈｔ  Ｅｍｉｔｔｉｎｇ  Ｄｉｏｄｅ；発光ダイオード）６１１を備える。つまり、各バックライト６１０ａ〜６１０ｄは、当該バックライト６１０ａ〜６１０ｄに対応するバックライトドライバ６３０ａ〜６３０ｄによって供給される駆動電流Ｉ−ＰＷＭ（ａ）〜Ｉ−ＰＷＭ（ｄ）に応じて、点灯及び消灯する。すなわち、各バックライト６１０ａ〜６１０ｄは、バックライトドライバ６３０ａ〜６３０ｄによって駆動電流Ｉ−ＰＷＭ（ａ）〜Ｉ−ＰＷＭ（ｄ）が供給されている場合に点灯し、駆動電流Ｉ−ＰＷＭ（ａ）〜Ｉ−ＰＷＭ（ｄ）の供給が停止された場合に消灯する。したがって、各バックライト６１０ａ〜６１０ｄは、駆動電流Ｉ−ＰＷＭ（ａ）〜Ｉ−ＰＷＭ（ｄ）のデューティ比が高くなるほど長い期間点灯するので、表示装置１００の表示面は明るくなる。
【００３９】
［ＳＯＣ］
ＳＯＣ６２０は、複数のバックライト６１０ａ〜６１０ｄの点灯期間及び消灯期間を示す信号である同期調光信号Ｓ−ＰＷＭを出力する。具体的には、当該ＳＯＣ６２０は、プリント基板６２１に実装され、複数のバックライト６１０ａ〜６１０ｄの輝度を示す調整値に応じたデューティ比を有するＰＷＭ（Ｐｕｌｓｅ  Ｗｉｄｔｈ  Ｍｏｄｕｌａｔｉｏｎ）信号であって、かつ、映像信号に同期する信号である同期調光信号Ｓ−ＰＷＭを生成し、生成した同期調光信号Ｓ−ＰＷＭを各バックライトドライバ６３０ａ〜６３０ｄに出力する。
【００４０】
ここで、同期調光信号Ｓ−ＰＷＭは、複数のバックライトドライバ６３０ａ〜６３０ｄに共通の信号である。つまり、同期調光信号Ｓ−ＰＷＭは、複数のバックライト６１０ａ〜６１０ｄに共通の信号である。言い換えると、ＳＯＣ６２０から各バックライトドライバ６３０ａ〜６３０ｄに入力される信号は、互いに同一である。
【００４１】
これにより、ＳＯＣ６２０は、複数のバックライトドライバ６３０ａ〜６３０ｄに個別対応し、互いに異なる複数の信号を生成する必要がない。したがって、本実施の形態に係るバックライト装置１６０は、このように互いに異なる複数の信号を生成する場合と比較して、ＳＯＣ６２０の処理を簡易化できる。
【００４２】
また、同期調光信号Ｓ−ＰＷＭは、例えば、ユーザによって指示される調整値が高くなる程、デューティ比が高くなる信号である。よって、各バックライト６１０ａ〜６１０ｄは、同期調光信号Ｓ−ＰＷＭのデューティ比が高くなる程、長い期間点灯する。つまり、同期調光信号Ｓ−ＰＷＭは、点灯期間に第１論理状態（本実施の形態ではハイ）となり、消灯期間に第２論理状態（本実施の形態ではロー）となる信号である。
【００４３】
なお、同期調光信号Ｓ−ＰＷＭは、例えば、ユーザによって指示される調整値が高くなる程、デューティ比が低くなる信号であってもよい。
【００４４】
［バックライトドライバ基板における回路構成］
次に、複数のバックライトドライバ６３０ａ〜６３０ｄが実装されているバックライトドライバ基板６３１における回路構成について、図４及び図５を用いて説明する。図４は、実施の形態１におけるバックライトドライバ基板６３１の回路構成を示す回路図である。
【００４５】
これらの図に示すように、複数のバックライトドライバ６３０ａ〜６３０ｄの各々は、同期調光信号Ｓ−ＰＷＭを遅延する遅延回路６３２を備え、当該遅延回路６３２による遅延後の調光信号ＰＷＭ（ａ）〜ＰＷＭ（ｄ）を用いて対応するバックライト６１０ａ〜６１０ｄを駆動する。また、複数のバックライトドライバ６３０ａ〜６３０ｄが備える複数の遅延回路６３２における遅延時間は、複数のバックライト６１０ａ〜６１０ｄの配置順序に基づいて互いに異なる。
【００４６】
複数のバックライトドライバ６３０ａ〜６３０ｄは、バックライトドライバ基板６３１に実装され、バックライトドライバ基板６３１において、互いに並列接続されている。つまり、複数のバックライトドライバ６３０ａ〜６３０ｄは、バックライトドライバ基板６３１に配置された配線によって、並列接続されている。
【００４７】
これにより、ＳＯＣ６２０が実装されているプリント基板６２１と、複数のバックライトドライバ６３０ａ〜６３０ｄが実装されているバックライトドライバ基板６３１とを接続し、同期調光信号Ｓ−ＰＷＭを伝達するための配線の数を、１本とすることができる。これに対し、複数のバックライトドライバ６３０ａ〜６３０ｄがバックライトドライバ基板６３１において互いに並列接続されていない場合には、当該配線の数は、複数のバックライトドライバ６３０ａ〜６３０ｄと同数（例えば、４本）必要となる虞がある。つまり、本実施の形態に係るバックライト装置１６０は、複数のバックライトドライバ６３０ａ〜６３０ｄがバックライトドライバ基板６３１において互いに並列接続されていることにより、構成を簡易化できる。
【００４８】
なお、各バックライトドライバ６３０ａ〜６３０ｄの詳細な構成については、後述する。
【００４９】
［分圧回路］
バックライトドライバ基板６３１には、さらに、複数のバックライトドライバ６３０ａ〜６３０ｄの各々に対応して設けられ、予め定められた基準電圧Ｖ１を分圧する時定数回路６４０ａ〜６４０ｄ（分圧回路）が実装されている。また、各バックライトドライバ６３０ａ〜６３０ｄにおける遅延回路６３２は、当該バックライトドライバ６３０ａ〜６３０ｄに対応する時定数回路６４０ａ〜６４０ｄによって定まる遅延時間で、入力された同期調光信号Ｓ−ＰＷＭを遅延する。
【００５０】
これにより、本実施の形態に係るバックライト装置１６０は、時定数回路６４０ａ〜６４０ｄの回路構成によって遅延時間を容易に設定することができる。よって、複数のバックライト６３０ａ〜６３０ｄを配置順に順次点灯及び消灯させることができる。つまり、簡易な構成及び処理で、動画ぼけを抑制することができる。
【００５１】
具体的には、時定数回路６４０ａ〜６４０ｄは、互いに直列に接続された抵抗及び容量を有し、当該遅延時間は、時定数回路６４０ａ〜６４０ｄの時定数が大きいほど、長くなる。より具体的には、図４に示すように、時定数回路６４０ａ〜６４０ｄのそれぞれは、この順に、当該抵抗として抵抗Ｒ１１〜Ｒ１４を有し、当該容量として容量Ｃ１１〜Ｃ１４を有する。
【００５２】
これにより、本実施の形態に係るバックライト装置１６０は、時定数回路６４０ａ〜６４０ｄの抵抗及び容量の定数を調整するだけで、遅延時間を容易に設定することができる。
【００５３】
［スイッチング回路］
バックライトドライバ基板６３１には、さらに、複数のバックライトドライバ６３０ａ〜６３０ｄの各々に対応して設けられ、対応するバックライトドライバ６３０ａ〜６３０ｄから出力された調光信号ＰＷＭ（ａ）〜ＰＷＭ（ｄ）に応じて、駆動電流Ｉ−ＰＷＭ（ａ）〜Ｉ−ＰＷＭ（ｄ）の供給及び停止を切り替えるスイッチング回路６５０ａ〜６５０ｄが実装されている。
【００５４】
スイッチング回路６５０ａ〜６５０ｄの各々は、例えばｎチャネル型のＦＥＴからなるスイッチング素子Ｑと、当該スイッチング素子Ｑのソースとグランドとの間に設けられた抵抗Ｒ２０とを有する。なお、スイッチング素子Ｑとしては、ＦＥＴに限らず、バイポーラトランジスタなど、スイッチング機能を有する素子であればよい。
【００５５】
以下、スイッチング回路６５０ａ〜６５０ｄの構成について、スイッチング回路６５０ａを例に説明するが、他のスイッチング回路６５０ｂ〜６５０ｄの構成についても同様である。
【００５６】
スイッチング素子Ｑのゲートは、スイッチング回路６５０ａに対応するバックライトドライバ６３０ａが接続され、当該バックライトドライバ６３０ａによって遅延された同期調光信号Ｓ−ＰＷＭである調光信号ＰＷＭ（ａ）が印加される。これにより、スイッチング素子Ｑは、調光信号ＰＷＭ（ａ）に応じて駆動電流Ｉ−ＰＷＭ（ａ）の供給及び停止を切り替える。具体的には、スイッチング素子Ｑは、調光信号ＰＷＭ（ａ）がハイの場合にオンすることによりバックライトドライバ６３０ａに駆動電流Ｉ−ＰＷＭ（ａ）を供給し、当該調光信号ＰＷＭ（ａ）がローの場合にオフすることにより当該駆動電流Ｉ−ＰＷＭ（ａ）を停止する。
【００５７】
このように、スイッチング回路６５０ａ〜６５０ｄの各々は、当該スイッチング回路６５０ａ〜６５０ｄに対応するバックライトドライバ６３０ａ〜６３０ｄから出力された調光信号ＰＷＭ（ａ）〜ＰＷＭ（ｄ）に応じて、当該スイッチング回路６５０ａ〜６５０ｄに対応するバックライト６１０ａ〜６１０ｄに駆動電流Ｉ−ＰＷＭ（ａ）〜Ｉ−ＰＷＭ（ｄ）を供給する。
【００５８】
ここで、バックライトドライバ６３０ａ〜６３０ｄが備える各遅延回路６３２における遅延時間は、複数のバックライト６１０ａ〜６１０ｄの配置順序に基づいて互いに異なっている。よって、調光信号ＰＷＭ（ａ）〜ＰＷＭ（ｄ）は、デューティ比が互いに同じ、かつ、立ち上がり及び立ち下がりタイミングが互いに異なる信号となっている。したがって、駆動電流Ｉ−ＰＷＭ（ａ）〜Ｉ−ＰＷＭ（ｄ）によって駆動されるバックライト６１０ａ〜６１０ｄは、当該バックライト６１０ａ〜６１０ｄの配置順に点灯及び消灯タイミングがずれて点灯する。よって、動画ぼけを抑制できる。
【００５９】
［バックライトドライバ］
次に、各バックライトドライバ６３０ａ〜６３０ｄの詳細な構成について、図５を用いて説明する。なお、ここでは、バックライトドライバ６３０ａ〜６３０ｄの構成について、バックライトドライバ６３０ｂを例に説明するが、他のバックライトドライバ６３０ａ、６３０ｃ、６３０ｄの構成についても同様である。
【００６０】
なお、本実施の形態において、バックライトドライバ６３０ａにおける遅延回路６３２の遅延時間はゼロである。このため、バックライトドライバ６３０ａは、以下で説明する各構成を備えずに、入力された同期調光信号Ｓ−ＰＷＭをスルーして出力する構成であってもよい。つまり、バックライトドライバ６３０ａは、同期調光信号Ｓ−ＰＷＭを遅延時間ゼロで遅延し、遅延後（実際には遅延されていない）の同期調光信号Ｓ−ＰＷＭを調光信号ＰＷＭ（ａ）として出力してもよい。
【００６１】
図５は、実施の形態１におけるバックライトドライバ６３０ｂの詳細な構成を示す回路図である。なお、同図には、時定数回路６４０ｂ及びスイッチング回路６５０ｂも図示されている。
【００６２】
同図に示すように、バックライトドライバ６３０ｂは、遅延回路６３２と、クロック回路６３４と、ローパルスカウンタ６３５（期間カウンタ）と、立ち下がり遅延器６３６（切り替わり遅延器）と、バッファ６３７とを備える。
【００６３】
クロック回路６３４は、遅延回路６３２及びローパルスカウンタ６３５にクロックを供給する。
【００６４】
ローパルスカウンタ６３５は、同期調光信号Ｓ−ＰＷＭが第２論理状態（本実施の形態ではロー）となっている期間をカウントする。具体的には、ローパルスカウンタ６３５は、ＳＯＣ６２０から出力された同期調光信号Ｓ−ＰＷＭのロー期間を、クロック回路６３４から供給されたクロックを用いてカウントし、カウント値Ｃ（Ｔｃ）を遅延回路６３２へ出力する。
【００６５】
立ち下がり遅延器６３６は、同期調光信号Ｓ−ＰＷＭの第１論理状態（本実施の形態ではハイ）から第２論理状態（本実施の形態ではロー）への切り替わりを、遅延時間経過後に検出する。具体的には、立ち下がり遅延器６３６は、同期調光信号Ｓ−ＰＷＭの立ち下がりタイミングを、時定数回路６４０ｂの時定数が大きいほど長くなるような遅延時間だけ遅延して検出する。また、立ち下がり遅延器６３６は、当該切り替わりを検出したことを示す検出信号φＮＥＤを出力する。なお、立ち下がり遅延器６３６の詳細な構成については、後述する。
【００６６】
遅延回路６３２は、立ち下がり遅延器６３６による検出時点からローパルスカウンタ６３５によりカウントされた期間が経過するまで第２論理状態（本実施の形態ではロー）となる信号を生成することにより、遅延後の調光信号ＰＷＭ（ｂ）を生成する。また、遅延回路６３２は、生成した調光信号ＰＷＭ（ｂ）を、バッファ６３７を介してスイッチング回路６５０ｂへ出力する。これにより、バックライトドライバ６３０ｂから出力される調光信号ＰＷＭ（ｂ）は、当該バックライトドライバ６３０ｂに入力された同期調光信号Ｓ−ＰＷＭに対して、時定数回路６４０ｂの時定数に依存する遅延時間だけ遅延した信号となる。これにより、時定数回路６４０ｂの抵抗Ｒ１２及び容量Ｃ１２の定数を調整するだけで、遅延時間を容易に設定することができる。
【００６７】
よって、バックライトドライバ６３０ｂは、当該バックライトドライバ６３０ｂに対応する時定数回路６４０ｂの抵抗Ｒ１２及び容量Ｃ１２の定数を調整するだけで、遅延時間を容易に設定することができる。同様に、他のバックライトドライバ６３０ａ、６３０ｃ、６３０ｄの各々も、当該バックライトドライバ６３０ａ、６３０ｃ、６３０ｄに対応する時定数回路６４０ａ、６４０ｃ、６４０ｄの抵抗及び容量の定数を調整するだけで、遅延時間を容易に設定することができる。
【００６８】
このように、本実施の形態に係るバックライト装置１６０は、複数のバックライトドライバ６３０ａ〜６３０ｄの各々に対応する時定数回路６４０ａ〜６４０ｄの抵抗及び容量の定数を調整するだけで、遅延時間を容易に設定することができる。よって、当該バックライト装置１６０は、複数のバックライト６１０ａ〜６１０ｄを配置順に順次点灯及び消灯することができる。つまり、簡易な構成で、動画ぼけを抑制できる。
【００６９】
［立ち下がり遅延器］
ここで、立ち下がり遅延器６３６の詳細な構成について、図６を用いて説明する。図６は、実施の形態１における立ち下がり遅延器６３６の詳細な構成を示す回路図である。なお、同図には、時定数回路６４０ｂも図示されている。
【００７０】
同図に示すように、立ち下がり遅延器６３６は、Ｄ型フリップフロップ６６１と、スリーステートバッファ６６２と、コンパレータ６６３と、定電圧源６６４とを有する。
【００７１】
Ｄ型フリップフロップ６６１は、Ｓ端子に同期調光信号Ｓ−ＰＷＭが入力され、Ｄ端子及びクロック端子に電圧Ｖ１が入力され、リセット端子にコンパレータ６６３の出力が入力されている。よって、Ｄ型フリップフロップ６６１は、同期調光信号Ｓ−ＰＷＭがハイからローに切り替わったときに、Ｑ端子からの出力をローからハイへと切り替える。また、当該Ｄ型フリップフロップ６６１は、コンパレータ６６３の出力がローになったときに、リセットされて、Ｑ端子の出力をローにする。
【００７２】
スリーステートバッファ６６２は、入力端子がグランドに接続され、制御端子がＤ型フリップフロップ６６１のＱ端子に接続されている。よって、スリーステートバッファ６６２は、Ｄ型フリップフロップ６６１のＱ端子からの出力がローからハイに切り替わったときに、当該スリーステートバッファ６６２の出力をグランドレベル（例えば、０Ｖ）からハイインピーダンス状態へと切り替える。
【００７３】
コンパレータ６６３は、反転入力端子がスリーステートバッファ６６２の出力端子、及び、時定数回路６４０ｂの抵抗Ｒ１２と容量Ｃ１２との接続点に接続され、非反転入力端子が予め定められた電圧を発生する定電圧源６６４に接続されている。よって、コンパレータ６６３の反転入力端子の電圧は、スリーステートバッファ６６２の出力がグランドレベルからハイインピーダンス状態へと切り替わったときに、グランドレベルからＶ１へと上昇していく。この反転入力端子の電圧の上昇は、時定数回路６４０ｂの時定数に依存し、具体的には、当該時定数が大きいほどゆっくりと上昇する。その後、反転入力端子の電圧が非反転入力端子の定電圧源６６４の電圧以上になると、コンパレータ６６３は、出力をハイからローに切り替える。
【００７４】
つまり、コンパレータ６６３は、スリーステートバッファ６６２の出力がグランドレベルからハイインピーダンス状態へと切り替わってから時定数回路６４０ｂの時定数によって定まる遅延時間が経過した後に、ローとなる信号である検出信号φＮＥＤを出力する。言い換えると、コンパレータ６６３は、同期調光信号Ｓ−ＰＷＭのハイ（第１論理状態）から第２論理状態（ロー）への切り替わりから当該遅延時間後に、検出信号φＮＥＤをローにする。
【００７５】
このように、各バックライトドライバ６３０ａ〜６３０ｄにおける立ち下がり遅延器６３６は、同期調光信号Ｓ−ＰＷＭのハイからローへの切り替わりを、当該バックライトドライバ６３０ａ〜６３０ｄに対応する時定数回路６４０ａ〜６４０ｄによって定まる遅延時間経過後に検出する。よって、各バックライトドライバ６３０ａ〜６３０ｄにおける遅延回路６３２は、当該バックライトドライバ６３０ａ〜６３０ｄに対応する時定数回路６４０ａ〜６４０ｄの抵抗及び容量の定数によって定まる遅延時間で同期調光信号Ｓ−ＰＷＭを遅延することができる。
【００７６】
以上のように、本実施の形態に係るバックライト装置１６０は、バックライトドライバ６３０ａ〜６３０ｄ毎に異なる遅延時間で同期調光信号Ｓ−ＰＷＭを遅延することにより、ＳＯＣ６２０における処理、及び、ＳＯＣ６２０と複数のバックライトドライバ６３０ａ〜６３０ｄとを接続する配線を複雑化することなく、複数のバックライト６１０ａ〜６１０ｄを配置順に順次点灯及び消灯することができる。よって、簡易な構成及び処理で、動画ぼけを抑制できる。
【００７７】
具体的には、本実施の形態に係るバックライト装置１６０において、バックライトドライバ６３０ａ〜６３０ｄの各々における遅延回路６３２は、当該バックライトドライバ６３０ａ〜６３０ｄに対応する時定数回路６４０ａ〜６４０ｄによって定まる遅延時間で同期調光信号Ｓ−ＰＷＭを遅延する。つまり、バックライトドライバ６３０ａ〜６３０ｄの各々は、対応する時定数回路６４０ａ〜６４０ｄの回路構成によって遅延時間を容易に設定することができる。
【００７８】
より具体的には、バックライトドライバ６３０ａ〜６３０ｄの各々は、対応する時定数回路６４０ａ〜６４０ｄの抵抗及び容量の定数を調整することによって、遅延時間を所望の時間に簡易に設定することができる。
【００７９】
＜１−２．動作＞
次に、本実施の形態に係るバックライト装置１６０の動作について、図７を用いて説明する。図７は、実施の形態１に係るバックライト装置の動作を示すタイミングチャートである。なお、同図には、映像信号に含まれる垂直同期信号ＳＴＶも図示されている。
【００８０】
同図には、上から順に、垂直同期信号ＳＴＶと、当該垂直同期信号ＳＴＶに同期して立ち下がる同期調光信号Ｓ−ＰＷＭと、バックライト６１０ａ〜６１０ｄにこの順で対応する調光信号ＰＷＭ（ａ）〜ＰＷＭ（ｄ）と、時定数回路６４０ｂ〜６４０ｄからこの順にバックライトドライバ６３０ｂ〜６３０ｄに入力される電圧Ｖｉｎ（ｂ）〜Ｖｉｎ（ｄ）とが、模式的に示されている。
【００８１】
同図に示すように、ＳＯＣ６２０から出力された同期調光信号Ｓ−ＰＷＭと、各調光信号ＰＷＭ（ａ）〜ＰＷＭ（ｄ）とは、デューティ比が同じである。言い換えると、調光信号ＰＷＭ（ａ）〜ＰＷＭ（ｄ）は、同期調光信号Ｓ−ＰＷＭが、１フレーム期間内に、所定時間ずつずらして遅延された信号である。
【００８２】
具体的には、調光信号ＰＷＭ（ａ）は、同期調光信号Ｓ−ＰＷＭに対して、遅延時間ゼロで遅延された信号である。また、調光信号ＰＷＭ（ｂ）は、同期調光信号Ｓ−ＰＷＭに対して、遅延時間Ｔｓｂで遅延された信号である。また、調光信号ＰＷＭ（ｃ）は、同期調光信号Ｓ−ＰＷＭに対して、遅延時間Ｔｓｃで遅延された信号である。また、調光信号ＰＷＭ（ｄ）は、同期調光信号Ｓ−ＰＷＭに対して、遅延時間Ｔｓｄで遅延された信号である。
【００８３】
このように、本実施の形態に係るバックライト装置１６０は、バックライトドライバ６３０ａ〜６３０ｄ毎に異なる遅延時間で同期調光信号Ｓ−ＰＷＭを遅延することにより、ＳＯＣ６２０における処理、及び、ＳＯＣ６２０とバックライトドライバ６３０ａ〜６３０ｄとを接続する配線を複雑化することなく、複数のバックライト６１０ａ〜６１０ｄを配置順に順次点灯及び消灯することができる。よって、当該バックライト装置１６０は、簡易な構成及び処理で、動画ぼけを抑制できる。
【００８４】
ここで、同期調光信号Ｓ−ＰＷＭに対する各調光信号ＰＷＭ（ａ）〜ＰＷＭ（ｄ）の遅延時間は、上述したように時定数回路６４０ａ〜６４０ｄの時定数に依存する。具体的には、当該遅延時間は、時定数回路６４０ａ〜６４０ｄの時定数が大きいほど長くなる。よって、時定数回路６４０ａ〜６４０ｄの時定数をこの順にτａ、τｂ、τｃ、τｄとした場合に、τａ＜τｂ＜τｃ＜τｄを満たすように、抵抗Ｒ１１〜Ｒ１４及び容量Ｃ１１〜Ｃ１４の定数を設定すればよい。
【００８５】
このように、本実施の形態に係るバックライト装置１６０は、各時定数回路６４０ａ〜６４０ｄの抵抗及び容量（Ｒ１１及びＣ１１、Ｒ１２及びＣ１２、Ｒ１３及びＣ１３、Ｒ１４及びＣ１４）の定数を調整するだけで、遅延時間を容易に設定することができる。
【００８６】
また、バックライトドライバ６３０ａ〜６３０ｄの各々は、複数のバックライト６１０ａ〜６１０ｄ全てが消灯している全消灯状態が、液晶パネル３１０に１つのフレームが表示される１フレーム期間内に複数回出現するように、複数のバックライト６１０ａ〜６１０ｄを駆動する。この理由は以下による。
【００８７】
人間の目は、少なくとも１つのバックライト６１０ａ〜６１０ｄが点灯している点灯状態では、点灯しているバックライトの数の変更、及び、点灯しているバックライトと消灯しているバックライトとの切り替わり等を感じ取りにくい。一方、全消灯状態と点灯状態との切り替わりについては感じ取りやすい。つまり、全消灯状態と点灯状態との切り替わりは、フリッカー（液晶パネル３１０のちらつき）を引き起こす虞がある。
【００８８】
また、人間の目は、特に１フレーム期間に全消灯状態が１回しか出現しない場合に、バックライト６１０ａ〜６１０ｄの明滅を感じ取りやすくなる。よって、この場合には、フリッカーが発生しやすい虞がある。
【００８９】
そこで、本実施の形態では、上述したように、１フレーム期間内に全消灯状態が複数回出現するように複数のバックライト６１０ａ〜６１０ｄを駆動することにより、フリッカーを抑制することができる。
【００９０】
なお、１フレーム期間とは、例えば、図７に示すように、映像信号に含まれる垂直同期信号ＳＴＶの一のパルスの立ち上がりから次の一のパルスの立ち上がりまでの期間を指す。例えば、液晶パネル３１０において１秒間に６０フレームが表示される場合、１フレーム期間は約１６．６ｍＳとなる。
【００９１】
具体的には、バックライトドライバ６３０ｂ〜６３０ｄの各々は、１フレーム期間内に全消灯状態が複数回出現するような遅延時間ＴＳｂ、ＴＳｃ、ＴＳｄで同期調光信号Ｓ−ＰＷＭを遅延させて出力する。より具体的には、バックライトドライバ６３０ｂ〜６３０ｄの各々は、１フレーム期間をＶとした場合、次の３つの式を満たすような遅延時間ＴＳｂ、ＴＳｃ、Ｔｓｄで同期調光信号Ｓ−ＰＷＭを遅延させて出力する。
【００９２】
Ｖ／４≦ＴＳｂ
【００９３】
２×ＴＳｂ＝ＴＳｃ
【００９４】
３×ＴＳｂ＝ＴＳｄ
【００９５】
これにより、バックライトドライバ６３０ａ〜６３０ｄからバックライト６１０ａ〜６１０ｄに出力されるＰＷＭ（ａ）〜ＰＷＭ（ｄ）は、図７に示すように、１フレーム期間内に、ＰＷＭ（ａ）〜ＰＷＭ（ｄ）全てがローとなっている状態が複数回出現する。つまり、バックライト６１０ａ〜６１０ｄ全てが消灯している全消灯状態が、１フレーム期間内に複数回出現する。
【００９６】
このように、バックライトドライバ６３０ａ〜６３０ｄの各々は、１フレーム期間内に全消灯状態が複数回出現するように、複数のバックライト６１０ａ〜６１０ｄを駆動するので、フリッカーを抑制することができる。
【００９７】
なお、バックライト装置１６０がｎ個（ｎは２以上の自然数）のバックライトドライバを備えている場合には、配置順が２番目のバックライトドライバはＶ／ｎ≦ＴＳｂを満たすような遅延時間ＴＳｂで同期調光信号Ｓ−ＰＷＭを遅延させて出力し、配置順がｋ番目（ｋは３以上かつｎ以下の自然数）以降のバックライトドライバは、（ｋ−１）×ＴＳｂとなるような遅延時間で同期調光信号Ｓ−ＰＷＭを遅延させて出力してもよい。
【００９８】
また、バックライトドライバ６３０ａ〜６３０ｄはこれに限らず、１フレーム期間内に全消灯状態が１回のみ出現するように、入力された同期調光信号を遅延させて出力してもよい。このように構成されたバックライトドライバ６３０ａ〜６３０ｄを備える表示装置１００及びバックライト装置１６０においても、簡易な構成及び処理で、動画ぼけを抑制することができる。
【００９９】
＜１−３．効果等＞
以上説明したように、本実施の形態に係るバックライト装置１６０は、バックライトドライバ６３０ａ〜６３０ｄ毎に異なる遅延時間で同期調光信号Ｓ−ＰＷＭを遅延することにより、ＳＯＣ６２０における処理、及び、ＳＯＣ６２０と複数のバックライトドライバ６３０ａ〜６３０ｄとを接続する配線を複雑化することなく、複数のバックライト６１０ａ〜６１０ｄを配置順に順次点灯及び消灯することができる。よって、簡易な構成及び処理で、動画ぼけを抑制できる。
【０１００】
具体的には、本実施の形態に係るバックライト装置１６０において、バックライトドライバ６３０ａ〜６３０ｄの各々における遅延回路６３２は、当該バックライトドライバ６３０ａ〜６３０ｄに対応する時定数回路６４０ａ〜６４０ｄによって定まる遅延時間で同期調光信号Ｓ−ＰＷＭを遅延する。つまり、バックライトドライバ６３０ａ〜６３０ｄの各々は、対応する時定数回路６４０ａ〜６４０ｄの回路構成によって遅延時間を容易に設定することができる。
【０１０１】
より具体的には、バックライトドライバ６３０ａ〜６３０ｄの各々は、対応する時定数回路６４０ａ〜６４０ｄの抵抗及び容量の定数を調整することによって、各バックライトドライバ６３０ａ〜６３０ｄの遅延回路における遅延時間を所望の時間に簡易に設定することができる。
【０１０２】
また、複数のバックライト６１０ａ~６１０ｄが不等ピッチで配置されている場合、同期調光信号Ｓ−ＰＷＭに対する調光信号ＰＷＭ（ａ）〜ＰＷＭ（ｄ）の遅延時間のずれ量が等ピッチであれば、動画ぼけを抑制できない虞がある。しかしながら、本実施の形態に係るバックライト装置１６０では、同期調光信号Ｓ−ＰＷＭに対する調光信号ＰＷＭ（ａ）〜ＰＷＭ（ｄ）の遅延時間を所望の時間に簡易に設定することができるので、複数のバックライト６１０ａ~６１０ｄの配置が不等ピッチである場合にも、最適な遅延時間を容易に設定することができる。よって、このような場合にも動画ぼけを抑制できる。
【０１０３】
なお、複数のバックライト６１０ａ~６１０ｄが不等ピッチに配置されている場合であっても、同期調光信号Ｓ−ＰＷＭに対する調光信号ＰＷＭ（ａ）〜ＰＷＭ（ｄ）の遅延時間のずれ量を等ピッチにしてもよい。
【０１０４】
このように、同期調光信号Ｓ−ＰＷＭに対する調光信号ＰＷＭ（ａ）〜ＰＷＭ（ｄ）の遅延時間のずれ量を等ピッチにすることにより、当該すれ量を不等ピッチにしている場合よりも、フリッカーを抑制することができる。
【０１０５】
（実施の形態１の変形例）
次に、本発明の実施の形態１の変形例に係るバックライト装置について、実施の形態１に係るバックライト装置１６０と異なる点を中心に説明する。
【０１０６】
＜２−１．構成＞
まず、本変形例に係るバックライト装置を備える表示装置の構成について、図８を用いて説明する。図８は、実施の形態１の変形例におけるバックライトドライバ基板に実装された回路構成を示す回路図である。
【０１０７】
同図に示すように、本変形例では、実施の形態１に係るバックライト装置１６０と比較して、ＳＯＣ６２０が液晶パネル３１０に表示されるフレームの切り替えタイミングと同期する同期調光信号Ｓ−ＰＷＭ、及び、当該タイミングと同期しない非同期調光信号Ａ−ＰＷＭの一方を、選択的に出力する点が異なる。また、本変形例に係るバックライト装置は、さらに、ＳＯＣ６２０から非同期調光信号Ａ−ＰＷＭが出力されている場合に時定数回路６４０ａ〜６４０ｄに流れる電流を注入し、ＳＯＣ６２０から同期調光信号Ｓ−ＰＷＭが出力されている場合に当該電流を注入しない電流注入回路６６０ａ〜６６０ｄを備える点が異なる。
【０１０８】
［ＳＯＣ］
本変形例におけるＳＯＣ６２０（信号出力部）は、上述したように、同期調光信号Ｓ−ＰＷＭ、及び、非同期調光信号Ａ−ＰＷＭの一方を、選択的に出力する。ここで、同期調光信号Ｓ−ＰＷＭは、映像信号に同期する調光信号であり、非同期調光信号Ａ−ＰＷＭは、映像信号に非同期の調光信号である。
【０１０９】
例えば、ＳＯＣ６２０は、本変形例に係るバックライト装置が搭載される表示装置の使用環境及び動作環境に応じて、同期調光信号Ｓ−ＰＷＭ、及び、非同期調光信号Ａ−ＰＷＭの一方を、選択的に出力する。具体的には、当該表示装置が主に動画を表示する環境（例えばテレビ放送を表示する環境）で使用されている場合には、ＳＯＣ６２０は同期調光信号Ｓ−ＰＷＭを出力し、当該表示装置が主に動画を表示する環境（例えば、ＰＣ入力を表示する環境）で使用されている場合には、ＳＯＣ６２０は非同期調光信号Ａ−ＰＷＭを出力する。
【０１１０】
［電流注入回路］
電流注入回路６６０ａ〜６６０ｄは、複数のバックライトドライバ６３０ａ〜６３０ｄに対応し、例えば、バックライトドライバ基板６３１に実装されている。この電流注入回路６６０ａ〜６６０ｄは、上述したようにＳＯＣ６２０から非同期調光信号Ａ−ＰＷＭが出力されている場合には時定数回路６４０ａ〜６４０ｄへ電流を注入し、ＳＯＣ６２０から同期調光信号Ｓ−ＰＷＭが出力されている場合には当該電流を注入しない。
【０１１１】
ここで、「電流を注入する」とは、電流を注入する対象となっている回路に元々流れていた電流に加え、さらに、電流を流し込むことを意味する。つまり、ＳＯＣ６２０から非同期調光信号Ａ−ＰＷＭが出力されている場合、電流注入回路６６０ａ〜６６０ｄによって電流が注入されることにより、時定数回路６４０ａ〜６４０ｄに流れる電流は、ＳＯＣ６２０から同期調光信号Ｓ−ＰＷＭが出力されている場合の当該電流よりも大きくなる。
【０１１２】
これにより、時定数回路６４０ａ〜６４０ｄからバックライトドライバ６３０ａ〜６３０ｄに入力される電圧は、ＳＯＣ６２０から非同期調光信号Ａ−ＰＷＭが出力されている場合には当該時定数回路６４０ａ〜６４０ｄの時定数に基づく電圧応答よりも速やかに応答する。一方、当該電圧は、ＳＯＣ６２０から同期調光信号Ｓ−ＰＷＭが出力されている場合には当該時定数回路６４０ａ〜６４０ｄの時定数に基づいて応答する。
【０１１３】
電流注入回路６６０ａ〜６６０ｄの各々は、具体的には、互いに直列接続された抵抗Ｒ６１とダイオードＤ６１とを有し、抵抗Ｒ６１の一端とダイオードＤ６１のアノードとが接続され、ダイオードＤ６１のカソードが、対応する時定数回路６４０ａ〜６４０ｄの抵抗Ｒ１１〜Ｒ１４と容量Ｃ１１〜Ｃ１４との接続点に接続されている。
【０１１４】
ここで、抵抗Ｒ６１の他端には、ＳＯＣ６２０から非同期調光信号Ａ−ＰＷＭが出力されている場合にはハイレベル電圧（例えば、３．３Ｖ）が印加され、ＳＯＣ６２０から同期調光信号Ｓ−ＰＷＭが出力されている場合にはローレベル電圧（例えば、０Ｖ）が印加される。よって、電流注入回路６６０ａ〜６６０ｄの各々は、抵抗Ｒ６１の他端にハイレベル電圧が印加されている場合、すなわちＳＯＣ６２０から非同期調光信号Ａ−ＰＷＭが出力されている場合に、対応する対応する時定数回路６４０ａ〜６４０ｄへ電流を注入する。一方、電流注入回路６６０ａ〜６６０ｄの各々は、抵抗Ｒ６１の他端にローレベル電圧が印加されている場合、すなわちＳＯＣ６２０から同期調光信号Ｓ−ＰＷＭが出力されている場合に、対応する対応する時定数回路６４０ａ〜６４０ｄへ電流を注入しない。
【０１１５】
＜２−２．動作＞
次に、本変形例に係るバックライト装置の動作について、図９を用いて説明する。図９は、実施の形態１の変形例に係るバックライト装置の動作を示すタイミングチャートである。なお、同図には、映像信号に含まれる垂直同期信号ＳＴＶも図示されている。
【０１１６】
同図には、上から順に、垂直同期信号ＳＴＶと、当該垂直同期信号ＳＴＶに非同期で立ち下がる非同期調光信号Ａ−ＰＷＭと、バックライト６１０ａ〜６１０ｄにこの順で対応する調光信号ＰＷＭ（ａ）〜ＰＷＭ（ｄ）と、時定数回路６４０ａ〜６４０ｄからこの順にバックライトドライバ６３０ａ〜６３０ｄに入力される電圧Ｖｉｎ（ｂ）〜Ｖｉｎ（ｄ）とが、模式的に示されている。
【０１１７】
同図と図７とを比較すると明らかなように、本変形例では、実施の形態１と比較して、電流注入回路６６０ａ〜６６０ｄにより電流が注入されることにより、電圧Ｖｉｎ（ｂ）〜Ｖｉｎ（ｄ）各々の立ち上がりから飽和までに要する時間が短くなっている。つまり、非同期調光信号Ａ−ＰＷＭに対する各調光信号ＰＷＭ（ａ）〜ＰＷＭ（ｄ）の遅延時間ＴＳｂ’、ＴＳｃ’、ＴＳｄ’は、同期調光信号Ｓ−ＰＷＭに対する各調光信号ＰＷＭ（ａ）〜ＰＷＭ（ｄ）の遅延時間ＴＳｂ、ＴＳｃ、ＴＳｄよりも短くなっている。
【０１１８】
これにより、本変形例に係るバックライト装置は、実施の形態１に係るバックライト装置１６０と比較して、バックライト６１０ａ〜６１０ｄ全てが消灯している全消灯状態が、１フレーム期間内に一層多く出現する。よって、本変形例に係るバックライト装置は、実施の形態１に係るバックライト装置１６０と比較して、フリッカーを一層抑制することができる。
【０１１９】
＜２−３．効果等＞
以上説明したように、本変形例に係るバックライト装置において、ＳＯＣ６２０は、同期調光信号Ｓ−ＰＷＭ及び非同期調光信号Ａ−ＰＷＭの一方を、選択的に出力し、バックライト装置は、ＳＯＣ６２０から非同期調光信号Ａ−ＰＷＭが出力されている場合に時定数回路６４０ａ〜６４０ｄに流れる電流を注入し、ＳＯＣ６２０から同期調光信号Ｓ−ＰＷＭが出力されている場合に当該電流を注入しない電流注入回路６６０ａ〜６６０ｄを備える。
【０１２０】
これにより、本変形例に係るバックライト装置は、実施の形態１に係るバックライト装置１６０と比較して、液晶パネル３１０に静止画が表示されている場合のフリッカーを一層抑制することができる。
【０１２１】
（実施の形態２）
次に、本発明の実施の形態２に係るバックライト装置について、実施の形態１に係るバックライト装置１６０と異なる点を中心に説明する。具体的には、本実施の形態に係るバックライト装置は、実施の形態１に係るバックライト装置１６０と比較して、互いに直列に接続された複数の抵抗を有し、遅延回路が、分圧回路の分圧比を用いて同期調光信号Ｓ−ＰＷＭの位相をシフトさせることにより、当該同期調光信号Ｓ−ＰＷＭを遅延する点が異なる。
【０１２２】
＜３−１．構成＞
まず、本変形例に係るバックライト装置の構成について、図１０を用いて説明する。図１０は、実施の形態２におけるバックライトドライバ基板に実装された回路構成を示す回路図である。
【０１２３】
同図に示すように、本実施の形態におけるバックライトドライバ基板６３１に実装された回路構成は、図５に示した実施の形態１の当該回路構成と比較して、バックライトドライバ８３０ｂ及び分圧回路８４０ｂの構成が異なる。なお、同図では、バックライト８３０ａ〜８３０ｄに対応する４つのバックライトドライバ及び４つの分圧回路のうち、バックライトドライバ８３０ｂ及び分圧回路８４０ｂのみを図示しているが、他のバックライトドライバ及び分圧回路の構成も、分圧回路を構成する抵抗の定数が異なる点を除きバックライトドライバ８３０ｂ及び分圧回路８４０ｂと同様である。
【０１２４】
なお、本実施の形態において、バックライト６１０ａに対応するバックライトドライバにおける遅延回路の遅延時間はゼロである。このため、当該バックライトは、以下で説明する各構成を備えずに、入力された同期調光信号Ｓ−ＰＷＭをスルーして出力する構成であってもよい。つまり、当該バックライトドライバは、同期調光信号Ｓ−ＰＷＭを遅延時間ゼロで遅延し、遅延後（実際には遅延されていない）の同期調光信号Ｓ−ＰＷＭを調光信号ＰＷＭ（ａ）として出力してもよい。
【０１２５】
［分圧回路］
まず、分圧回路８４０ｂについて説明する。
【０１２６】
分圧回路８４０ｂは、バックライトドライバ８３０ｂに対応して設けられ、予め定められた基準電圧Ｖ１を分圧する。具体的には、分圧回路８４０ｂは、互いに直列に接続された複数の抵抗である抵抗Ｒ８１、Ｒ８２を有し、抵抗Ｒ８２の一端に基準電圧Ｖ１が印加され、抵抗Ｒ８１の一端にグランド電位（例えば０Ｖ）が印加され、抵抗Ｒ８２の他端及び抵抗Ｒ８１の他端がバックライトドライバ８３０ｂに接続されている。
【０１２７】
これにより、分圧回路８４０ｂからバックライトドライバ８３０ｂに印加される電圧をＶ１１とすると、当該Ｖ１１は次の式で表される。
【０１２８】
Ｖ１１＝Ｖ１（Ｒ８１／（Ｒ８１＋Ｒ８２））
【０１２９】
［バックライトドライバ］
次に、バックライトドライバ８３０ｂの詳細な構成について、説明する。
【０１３０】
バックライトドライバ８３０ｂは、バックライトドライバ６３０ｂと比較して、遅延回路６３２に代わり、分圧回路８４０ｂによって定まる遅延時間で同期調光信号Ｓ−ＰＷＭを遅延する遅延回路８３２を備える。遅延回路８３２は、分圧回路８４０ｂの分圧比を用いて同期調光信号Ｓ−ＰＷＭの位相をシフトさせることにより、当該同期調光信号Ｓ−ＰＷＭを遅延する。
【０１３１】
これにより、分圧回路８４０ｂの抵抗Ｒ８１及びＲ８２の定数を調整するだけで、遅延時間を容易に設定することができる。よって、本実施の形態に係るバックライト装置は、実施の形態１に係るバックライト装置１６０と同様の効果を奏する。つまり、簡易な構成及び処理で、動画ぼけを抑制できる。
【０１３２】
また、バックライトドライバ８３０ｂは、さらに、ローパルスカウンタ６３５及び立ち下がり遅延器６３６に代わり、同期調光信号Ｓ−ＰＷＭの周期をカウントする周期カウンタ８３５と、基準電圧Ｖ１に対する分圧回路８４０ｂによって分圧された電圧（以下、分圧電圧と記載する場合あり）の比を算出するＡ／Ｄコンバータ８３６（算出部）と、周期カウンタ８３５によるカウント値と、Ａ／Ｄコンバータ８３６によって算出された比とを乗算する乗算器８３７とを備える。
【０１３３】
以下、バックライトドライバ８３０ｂの構成のうち、バックライトドライバ６３０ｂと異なる構成について、詳細に説明する。
【０１３４】
周期カウンタ８３５は、ＳＯＣ６２０から出力された同期調光信号Ｓ−ＰＷＭの周期を、クロック回路６３４で生成されたクロック信号を用いてカウントする。具体的には、周期カウンタ８３５は、同期調光信号Ｓ−ＰＷＭの１周期を、クロック回路６３４から供給されたクロックを用いてカウントし、カウント値Ｃ（Ｔｐ）を乗算器８３７に出力する。
【０１３５】
Ａ／Ｄコンバータ８３６は、分圧回路８４０ｂによる分圧電圧Ｖ１１を、基準電圧Ｖ１を基準としてデジタル化する。つまり、Ａ／Ｄコンバータ８３６は（Ｖ１１／Ｖ１）を示すデジタル値を出力する。
【０１３６】
乗算器８３７は、周期カウンタ８３５により得られた同期調光信号Ｓ−ＰＷＭの周期を表すカウント値Ｃ（Ｔｐ）と、Ａ／Ｄコンバータ８３６により得られたデジタル値とを乗算する。よって、乗算器８３７による乗算結果Ｃ（Ｔ１）は、次の式（１）で表すことができる。
【０１３７】
Ｃ（Ｔ１）＝Ｃ（Ｔｐ）×（Ｖ１１／Ｖ１）・・・式（１）
【０１３８】
言い換えると、乗算器８３７は、乗算結果として、遅延回路８３２における遅延時間を示すクロック数を出力する。
【０１３９】
遅延回路８３２は、乗算器８３７による乗算結果が示す期間だけ、同期調光信号Ｓ−ＰＷＭを遅延する。具体的には、遅延回路８３２は、乗算器８３７により得られた乗算結果を遅延時間とし、その遅延時間だけ同期調光信号Ｓ−ＰＷＭを遅延させ、調光信号ＰＷＭ（ｂ）として出力する。つまり、遅延回路８３２は、バックライトドライバ８３０ｂに入力された同期調光信号Ｓ−ＰＷＭを、乗算器８３７から出力された乗算結果Ｃ（Ｔ１）でるクロック数に相当する時間分遅延させ、遅延させた同期調光信号Ｓ−ＰＷＭを調光信号ＰＷＭ（ｂ）として出力する。よって、遅延回路８３２における遅延時間Ｔ１は、次の式（２）で表すことができる。
【０１４０】
Ｔ１＝Ｔｐ×（Ｖ１１／Ｖ１）・・・式（２）
【０１４１】
つまり、遅延回路８３２は、分圧回路８４０ｂの分圧比を用いて同期調光信号Ｓ−ＰＷＭの位相をシフトさせることにより、同期調光信号Ｓ−ＰＷＭを遅延する。
【０１４２】
このようなバックライトドライバ８３０ｂによると、入力された同期調光信号Ｓ−ＰＷＭを、分圧回路８４０ｂによって定まる遅延時間Ｔ１で遅延し、遅延した同期調光信号Ｓ−ＰＷである調光信号ＰＷＭ（ｂ）を用いてバックライト６１０ｂを駆動する。よって、バックライトドライバ８３０ｂは、分圧回路８４０ｂの抵抗Ｒ８１及びＲ８２の定数を調整することによって、遅延時間Ｔ１を設定することができる。
【０１４３】
［遅延時間の設定］
以下、遅延時間の設定について、詳細に説明する。
【０１４４】
式（２）より、遅延時間Ｔ１と同期調光信号Ｓ−ＰＷＭの周期Ｔｐとの比が、分圧電圧Ｖ１１と基準電圧Ｖ１との比に等しくなることが判る。つまり、式（２）は次の式（３）で表される。
【０１４５】
Ｔ１：Ｔｐ＝Ｖ１１：Ｖ１・・・式（３）
【０１４６】
つまり、Ｔ１／Ｔｐ＝Ｖ１１／Ｖ１・・・式（４）
【０１４７】
ここで、上述したように、Ｖ１１は、基準電圧Ｖ１を分圧回路８４０ｂの抵抗Ｒ８１、Ｒ８２で分圧した値となっているので、次の式（５）で表される。
【０１４８】
Ｖ１１＝Ｖ１｛Ｒ８１／（Ｒ８１＋Ｒ８２）｝・・・式（５）
【０１４９】
よって、この式（５）を上記式（４）に代入すると、次の式（６）が得られる。
【０１５０】
Ｔ１／Ｔｐ＝Ｒ８１／（Ｒ８１＋Ｒ８２）・・・式（６）
【０１５１】
ここで、図１１に示すように、同期調光信号Ｓ−ＰＷＭの１周期から遅延時間Ｔ１を減じた時間をＴ２とすると、同期調光信号Ｓ−ＰＷＭの周期Ｔｐは次の式（７）で表される。図１１は、実施の形態２に係るバックライト装置による遅延時間Ｔ１の設定について説明するためのタイミングチャートである。
【０１５２】
Ｔｐ＝Ｔ１＋Ｔ２・・・式（７）
【０１５３】
これを式（６）に代入すると、次の式（８）が成り立つ。
【０１５４】
Ｔ１／（Ｔ１＋Ｔ２）＝Ｒ８１／（Ｒ８１＋Ｒ８２）・・・式（８）
【０１５５】
これを変形すると、最終的には、次の式（９）が成り立つ。
【０１５６】
Ｔ１／Ｔ２＝Ｒ８１／Ｒ８２・・・式（９）
【０１５７】
このように、抵抗Ｒ８１、Ｒ８２の比が、遅延時間Ｔ１と、同期調光信号Ｓ−ＰＷＭの１周期から遅延時間を減じた期間Ｔ２との比と等しいので、本実施の形態に係るバックライト装置は、抵抗Ｒ８１、Ｒ８２の値を設定するだけで、遅延時間Ｔ１の設定を容易に行うことができる。つまり、本実施の形態に係るバックライト装置は、簡易な構成及び処理で、遅延時間Ｔ１を設定することができる。
【０１５８】
＜３−２．動作＞
次に、本実施の形態に係るバックライト装置の動作について、図１２を用いて説明する。図１２は、実施の形態２に係るバックライト装置の動作を示すタイミングチャートである。なお、同図には、映像信号に含まれる垂直同期信号ＳＴＶも図示されている。
【０１５９】
同図には、上から順に、垂直同期信号ＳＴＶと、当該垂直同期信号ＳＴＶに同期して立ち下がる同期調光信号Ｓ−ＰＷＭと、バックライト６１０ａ〜６１０ｄにこの順で対応する調光信号ＰＷＭ（ａ）〜ＰＷＭ（ｄ）とが、模式的に示されている。
【０１６０】
同図に示す調光信号ＰＷＭ（ａ）〜ＰＷＭ（ｄ）は、図７に示した調光信号ＰＷＭ（ａ）〜ＰＷＭ（ｄ）と同様に、同期調光信号Ｓ−ＰＷＭが、１フレーム期間内に、所定時間ずつずらして遅延された信号である。
【０１６１】
具体的には、調光信号ＰＷＭ（ａ）は、同期調光信号Ｓ−ＰＷＭに対して、遅延時間ゼロで遅延された信号である。また、調光信号ＰＷＭ（ｂ）は、同期調光信号Ｓ−ＰＷＭに対して、遅延時間Ｔｓｂで遅延された信号である。また、調光信号ＰＷＭ（ｃ）は、同期調光信号Ｓ−ＰＷＭに対して、遅延時間Ｔｓｃで遅延された信号である。また、調光信号ＰＷＭ（ｄ）は、同期調光信号Ｓ−ＰＷＭに対して、遅延時間Ｔｓｄで遅延された信号である。
【０１６２】
ここで、同期調光信号Ｓ−ＰＷＭに対する各調光信号ＰＷＭ（ａ）〜ＰＷＭ（ｄ）の遅延時間は、各バックライトドライバに対応する分圧回路の分圧比に依存する。具体的には、当該遅延時間は、基準電圧Ｖ１に対する分圧電圧Ｖ１の比である分圧比が大きいほど長くなる。ここで、この分圧比は、上記の式（５）に示すように、分圧回路（例えば、分圧回路８４０ｂ）が有する複数の抵抗（例えば、抵抗Ｒ８１及び抵抗Ｒ８２）の抵抗値の比に依存する。よって、Ｔｓｂ＜Ｔｓｃ＜Ｔｓｄを満たすように、複数のバックライトドライバの各々に対応する分圧回路の抵抗の定数を設定すればよい。
【０１６３】
このように、本実施の形態に係るバックライト装置は、複数のバックライトドライバの各々に対応する分圧回路（例えば、分圧回路８４０ｂ）が有する複数の抵抗（例えば、抵抗Ｒ８１及び抵抗Ｒ８２）の定数を調整することによって、同期調光信号Ｓ−ＰＷＭの位相シフト量を設定することができる。つまり、遅延時間を簡易に設定することができる。よって、本実施の形態に係るバックライト装置は、実施の形態１に係るバックライト装置１６０と同様に、簡易な構成及び処理で、動画ぼけを抑制できる。
【０１６４】
また、本実施の形態における複数のバックライトドライバの各々は、実施の形態１におけるバックライトドライバ６３０ａ〜６３０ｄの各々と同様に、複数のバックライト６１０ａ〜６１０ｄ全てが消灯している全消灯状態が１フレーム期間内に複数回出現するように、複数のバックライト６１０ａ〜６１０ｄを駆動する。つまり、図１２に示すように、調光信号ＰＷＭ（ａ）〜ＰＷＭ（ｄ）全てがローとなっている状態は、１フレーム期間内に複数回出現する。
【０１６５】
これにより、本実施の形態に係るバックライト装置は、実施の形態１と同様に、フリッカーを抑制することができる。
【０１６６】
＜３−３．効果等＞
以上説明したように、本実施の形態に係るバックライト装置は、複数のバックライトドライバの各々（例えば、バックライトドライバ８３０ｂ）が遅延回路８３２を備え、当該遅延回路８３２による遅延後の同期調光信号Ｓ−ＰＷＭを用いて対応するバックライト（例えば、バックライト６１０ｂ）を駆動する。また、複数のバックライトドライバが備える複数の遅延回路８３２における遅延時間は、複数のバックライト６１０ａ〜６１０ｄの配置順序に基づいて互いに異なる。
【０１６７】
これにより、本実施の形態に係るバックライト装置は、実施の形態１に係るバックライト装置１６０と同様の効果を奏することができる。
【０１６８】
また、複数のバックライトドライバの各々に対応する分圧回路（例えば、分圧回路８４０ｂ）は直列接続された複数の抵抗（例えば、抵抗Ｒ８１及び抵抗Ｒ８２）を有し、遅延回路８３２は対応する分圧回路の分圧比を用いて同期調光信号Ｓ−ＰＷＭの位相をシフトさせる。これにより、複数のバックライトドライバの各々に対応する分圧回路（例えば、分圧回路８４０ｂ）が有する複数の抵抗（例えば、抵抗Ｒ８１及び抵抗Ｒ８２）の定数を調整することによって、同期調光信号Ｓ−ＰＷＭの位相シフト量を設定することができる。つまり、遅延時間Ｔｓｂ、Ｔｓｃ、Ｔｓｄを所望の時間に簡易に設定することができる。
【０１６９】
（他の実施の形態）
以上、本発明のバックライト装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１７０】
例えば、本発明は、上述した実施の形態及び変形例に係るバックライト装置と、ＳＯＣ６２０と、液晶パネル３１０とを備える表示装置（例えば、テレビ等）であってもよい。
【０１７１】
また、上記説明では、バックライト装置は４つのバックライト６１０ａ〜６１０ｄを備えているが、バックライトの数はこれに限らず、例えば、１０個でも２０個でもよい。
【０１７２】
また、上記説明では、各バックライト６１０ａ〜６１０ｄは、複数のＬＥＤ６１１を備えるとしたが、ＬＥＤに限らず、電流駆動型の発光素子であればよい。また、各バックライト６１０ａ〜６１０ｄは、複数の発光素子を備えていなくてもよく、１つの発光素子（例えば、面発光する発光素子等）を備えてもよい。
【０１７３】
また、上記説明では、バックライトドライバは、クロック回路６３４を備えていたが、これを備えなくてもよい。例えば、バックライトドライバは、当該バックライトドライバ外部に設けられたクロック回路で発生されたクロックを用いてもよい。
【０１７４】
また、上記説明では、バックライトドライバは、バッファ６３７を備えていたが、これを備えず、当該バックライトに対応するスイッチング回路に直接接続されていてもよい。
【０１７５】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、トランジスタ、抵抗、又は容量等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【０１７６】
また、上記説明では、第１論理状態をハイ、第２論理状態をローとして説明したが、第１論理状態がロー、第２論理状態がハイであってもよい。
【０１７７】
また、上記説明では、バックライト６１０ａ（以下、最上段のバックライトと記載）に対応するバックライトドライバにおける遅延回路６３２、８３２の遅延時間はゼロとしたが、当該遅延時間は、最上段の次段のバックライト６１０ｂに対応するバックライトドライバにおける遅延回路６３２、８３２の遅延時間以下であればよく、ゼロでなくてもよい。
【０１７８】
また、上記説明では、最上段のバックライトは、遅延時間がゼロの遅延回路６３２、８３２を備えていたが、これら遅延回路６３２、８３２を備えずに、入力された同期調光信号Ｓ−ＰＷＭを調光信号ＰＷＭ（ａ）として出力してもよい。
【産業上の利用可能性】
【０１７９】
本発明は、映像を表示するテレビや、スマートフォンまたはタブレット端末等の表示装置に適用できる。
【符号の説明】
【０１８０】
１００  表示装置
１１０  フロントキャビネット
１２０  ベゼル
１３０  液晶モジュール
１４０  セルガイド
１５０  光学シート
１６０  バックライト装置
１７０  リアフレーム
３１０  液晶パネル
３２０  タイミングコントローラ（ＴＣＯＮ）
３３０、６２１  プリント基板
３４０  ソースドライバ
３５０ａ〜３５０ｃ  ゲートドライバ
６１０ａ〜６１０ｄ  バックライト
６１１  ＬＥＤ
６２０  ＳＯＣ（信号出力部）
６３０ａ〜６３０ｄ、８３０ｂ  バックライトドライバ（バックライト駆動部）
６３１  バックライトドライバ基板
６３２、８３２  遅延回路
６３４  クロック回路
６３５  ローパルスカウンタ
６３６  立ち下がり遅延器
６３７  バッファ
６４０ａ〜６４０ｄ  時定数回路
８４０ｂ  分圧回路
６５０ａ〜６５０ｄ  スイッチング回路
６６０ａ〜６６０ｄ  電流注入回路
６６１  Ｄ型フリップフロップ
６６２  スリーステートバッファ
６６３  コンパレータ
６６４  定電圧源
８３５  周期カウンタ
８３６  Ａ／Ｄコンバータ
８３７  乗算器
Ａ−ＰＷＭ  非同期調光信号
Ｃ１１〜Ｃ１４  容量
Ｄ６１  ダイオード
Ｑ  スイッチング素子
Ｒ１１〜Ｒ１４、Ｒ２０、Ｒ６１、Ｒ８１、Ｒ８２  抵抗
Ｓ−ＰＷＭ  同期調光信号
【図１Ａ】
2015191809.tif 000003
【図１Ｂ】
2015191809.tif 000004
【図２】
2015191809.tif 000005
【図３】
2015191809.tif 000006
【図４】
2015191809.tif 000007
【図５】
2015191809.tif 000008
【図６】
2015191809.tif 000009
【図７】
2015191809.tif 000010
【図８】
2015191809.tif 000011
【図９】
2015191809.tif 000012
【図１０】
2015191809.tif 000013
【図１１】
2015191809.tif 000014
【図１２】
2015191809.tif 000015